(57)【要約】  【課題】  使用開始前には、ボトルに収容した第1成分である溶液と、固体状、粉粒体状、液体状などの第２成分とが混合せず、使用開始の際には、簡単かつ確実に第1成分と第２成分とを混合して使用することが可能な２成分混合容器を提供する。  【解決手段】  使用に際して、ノズルキャップを、ボトルの口部に沿って、ボトル方向に移動させることによって、ロッド部材が、第２成分収容部の上部開口部に装着された上部栓部材を、下方に押圧して移動させて、上部栓部材を第２成分収容部より下方に離脱させ、ボトル内で混合された第１成分と第２成分の混合液を、ホルダーに形成した流通開口部、ロッド部材、ノズルキャップのノズル開口部を介して吐出できるように構成した。【選択図】  図２
2006213332.tif 000002
【特許請求の範囲】
【請求項１】
第１成分である溶液を収容するボトルと、
前記ボトルの口部内部に嵌合係止され、ボトル内に収容された溶液の流通が可能な流通開口部が形成された略筒状のホルダーと、
前記ホルダー内に配置され、第２成分を収容する略筒状の第２成分収容部と、
前記第２成分収容部の上部開口部に装着された上部栓部材と
前記第２成分収容部の下部開口部に装着された下部栓部材と、
前記ボトルの口部に装着され、ボトルの口部に沿って、ボトル方向に移動可能なノズルキャップと、
前記ノズルキャップの内部に、ノズルキャップのノズル開口部に連通するように、ノズルキャップより下方に延設するように設けられた略パイプ状のロッド部材とを備え、
使用に際して、ノズルキャップを、ボトルの口部に沿って、ボトル方向に移動させることによって、
前記ロッド部材が、第２成分収容部の上部開口部に装着された上部栓部材を、下方に押圧して移動させて、
第２成分収容部内に収容された第２成分の圧力によって、第２成分収容部の下部開口部に装着された下部栓部材を第２成分収容部より下方に離脱させ、
これにより、前記第２成分収容部内に収容した第２成分と、ボトル内に収容した第１成分である溶液とを、ホルダーに形成した流通開口部を介して、混合するようにするとともに、
さらにノズルキャップを、ボトルの口部に沿って、ボトル方向に移動させることによって、
前記ロッド部材が、第２成分収容部の上部開口部に装着された上部栓部材を、下方に押圧して移動させて、上部栓部材を第２成分収容部より下方に離脱させ、
これにより、ボトル内で混合された第１成分と第２成分の混合液を、ホルダーに形成した流通開口部、ロッド部材、ノズルキャップのノズル開口部を介して吐出できるように構成したことを特徴とする２成分混合容器。
【請求項２】
前記ノズルキャップとボトルの肩部との間のボトル口部の外周に、使用開始前にノズルキャップが、ボトルの口部に沿って、ボトル方向に移動するのを防止するストッパー部材が設けられていることを特徴とする請求項１に記載の２成分混合容器。
【請求項３】
前記ストッパー部材が、ボトル口部に対して着脱自在に装着されていることを特徴とする請求項２に記載の２成分混合容器。
【請求項４】
前記ホルダーが、ボトルの口部の外周部を覆う外周折り返し部を備え、
前記外周折り返し部に、ノズルキャップを、ボトルの口部に沿って、ボトル方向に移動させた最終位置において、ノズルキャップがボトルから離反する方向に移動するのを防止する係止部が形成されていることを特徴とする請求項１から３のいずれかに記載の２成分混合容器。
【請求項５】
前記ホルダーが、有底筒状であって、その下方側部に流通開口部が形成されるとともに、
前記ホルダーの底部に、第２成分収容部から離脱した上部栓部材と下部栓部材が収容されるように構成されていることを特徴とする請求項１から４のいずれかに記載の２成分混合容器。
【請求項６】
前記ノズルキャップを、ボトルの口部に沿って、ボトル方向に移動させた最終位置において、第２成分収容部から離脱され、ホルダーの底部に収容された上部栓部材と下部栓部
材とが移動不能となるように、ロッド部材の下端が上部栓部材に当接するように構成されていることを特徴とする請求項１から５のいずれかに記載の２成分混合容器。
【請求項７】
前記ロッド部材の側部に開口部が形成されていることを特徴とする請求項６に記載の２成分混合容器。
【請求項８】
前記ノズルキャップのノズル開口部に着脱自在に装着されたキャップを備えることを特徴とする請求項１から７のいずれかに記載の２成分混合容器。
【請求項９】
第１成分である溶液を収容するボトルと、
前記ボトルの口部内部に嵌合係止され、ボトル内に収容された溶液の流通が可能な流通開口部が形成された略筒状のホルダーと、
前記ホルダー内に配置され、第２成分を収容する略筒状の第２成分収容部と、
前記第２成分収容部の上部開口部に装着された破断可能な上部栓部材と
前記第２成分収容部の下部開口部に装着された破断可能な下部栓部材と、
前記ボトルの口部に装着され、ボトルの口部に沿って、ボトル方向に移動可能なノズルキャップと、
前記ノズルキャップの内部に、ノズルキャップのノズル開口部に連通するように、ノズルキャップより下方に延設するように設けられた略パイプ状のロッド部材と、
前記ロッド部材の下端に下方に突設するように形成された破断用ロッド突設部と、
前記ホルダーの下端に、上方側に突設するように形成された破断用ホルダー突設部とを備え、
使用に際して、ノズルキャップを、ボトルの口部に沿って、ボトル方向に移動させることによって、
前記ロッド部材の破断用ロッド突設部が、第２成分収容部の上部開口部に装着された上部栓部材を、下方に押圧して上部栓部材を破断させ、
さらにノズルキャップを、ボトルの口部に沿って、ボトル方向に移動させることによって、
前記ロッド部材の下端部が、第２成分収容部をホルダー内で下方に移動させて、第２成分収容部の下部開口部に装着された下部栓部材を、ホルダーの破断用ホルダー突設部に当接させて、下部栓部材を破断させ、
これにより、前記第２成分収容部内に収容した第２成分と、ボトル内に収容した第１成分である溶液とを、ホルダーに形成した流通開口部を介して、混合するようにするとともに、
ボトル内で混合された第１成分と第２成分の混合液を、ホルダーに形成した流通開口部、ロッド部材、ノズルキャップのノズル開口部を介して吐出できるように構成したことを特徴とする２成分混合容器。
【請求項１０】
前記ノズルキャップとボトルの肩部との間のボトル口部の外周に、使用開始前にノズルキャップが、ボトルの口部に沿って、ボトル方向に移動するのを防止するストッパー部材が設けられていることを特徴とする請求項９に記載の２成分混合容器。
【請求項１１】
前記ストッパー部材が、ボトル口部に対して着脱自在に装着されていることを特徴とする請求項１０に記載の２成分混合容器。
【請求項１２】
前記ホルダーが、ボトルの口部の外周部を覆う外周折り返し部を備え、
前記外周折り返し部に、ノズルキャップを、ボトルの口部に沿って、ボトル方向に移動させた最終位置において、ノズルキャップがボトルから離反する方向に移動するのを防止する係止部が形成されていることを特徴とする請求項９から１１のいずれかに記載の２成分混合容器。
【請求項１３】
前記ホルダーが、有底筒状であって、その下方側部と底部に流通開口部が形成されるように構成されていることを特徴とする請求項９から１２のいずれかに記載の２成分混合容器。
【請求項１４】
前記ノズルキャップを、ボトルの口部に沿って、ボトル方向に移動させた最終位置において、第２成分収容部が移動不能となるように、ロッド部材の下端が第２成分収容部に当接するように構成されていることを特徴とする請求項９から１３のいずれかに記載の２成分混合容器。
【請求項１５】
前記ノズルキャップのノズル開口部にフィルター部材が配設されていることを特徴とする請求項９から１４のいずれかに記載の２成分混合容器。
【請求項１６】
前記ノズルキャップのノズル開口部に着脱自在に装着されたキャップを備えることを特徴とする請求項９から１５のいずれかに記載の２成分混合容器。
【発明の詳細な説明】
【技術分野】
【０００１】
本発明は、２成分混合容器に関し、より詳細には、使用開始前には、ボトルに収容した第1成分である溶液と、固体状、粉粒体状、液体状などの第２成分とが混合せず、使用開
始の際には、簡単かつ確実に第1成分と第２成分とを混合して使用することが可能な２成
分混合容器に関する。
【背景技術】
【０００２】
従来、例えば、病院の眼科から処方される点眼容器、薬局にて販売される点眼容器のように、ボトルに収容した第1成分である溶液と、錠剤、凍結乾燥成分などの第２成分とを
混合して使用する場合には、特許文献１（実公昭６１−２５８９４号公報）に開示されるような方法を用いて行われている。
【０００３】
すなわち、特許文献１（実公昭６１−２５８９４号公報）では、図２６に示したように、口部１０４に、ノズルヘッド１０６、キャップ１０８を装着し、内部に第1成分Ｓ１で
ある溶液を収容した容器１０２と、内部に錠剤、凍結乾燥成分などの第２成分を収容したガラス容器１１０、またはアルミ包装体１１２を用意している。
【０００４】
そして、図２７に示したように、ガラス容器１１０を用いる場合には、容器１０２の口部１０４からノズルヘッド１０６、キャップ１０８を取り外して、容器１１０の蓋１１４を取り外して、ガラス容器１１０を傾けて容器１０２の口部１０４から、第２成分Ｓ２を容器１０２内に入れて、第１成分と第２成分を混合するようになっている。
【０００５】
また、図２８に示したように、アルミ包装体１１２を用いる場合には、アルミ包装体１１２をノッチ１１６で開封して、アルミ包装体１１２を傾けて容器１０２の口部１０４から、第２成分を容器１０２内に入れて、第１成分Ｓ１と第２成分Ｓ２を混合するようになっている。
【０００６】
また、特許文献２（実開平３−１０５４８３号公報）では、１個の容器内に、第1成分
Ｓ１である溶液と、錠剤、凍結乾燥成分などの第２成分Ｓ２を分離した状態で収容することができる容器が開示されている。
【０００７】
すなわち、特許文献２（実開平３−１０５４８３号公報）では、図２９（Ａ）に示したように、口部１２０の外周面にねじ部１２２が形成された容器本体１２４と、内周面にねじ部１２２に螺合するねじ部１２６が形成されたキャップ１２８とを備えている。そして、容器本体１２４の内面上端から、底部近傍まで延設された筒体１３０を係止し、この筒体１３０の下端部の内周面に、第２成分Ｓ２である固形状他物体１３２が載置された底蓋１３４を離脱自在に嵌合している。
【０００８】
また、キャップ１２８の下端に、ストッパー１３６を設けるとともに、キャップ１２８の頂面の内面から押棒１３８を下方に延設している。
そして、使用時には、図２９（Ｂ）に示したように、ストッパー１３６を押し開きながら、キャップ１２８を下方に移動させることによって、押棒１３８が押し下げられ、この押棒１３８の押し下げにより底蓋１３４が下方に押圧されて、筒体１３０の下端部から離脱するようになっている。これにより、第１成分Ｓ１と第２成分Ｓ２を混合するようになっている。
【特許文献１】実公昭６１−２５８９４号公報
【特許文献２】実開平３−１０５４８３号公報
【発明の開示】
【発明が解決しようとする課題】
【０００９】
しかしながら、特許文献１のように、第1成分Ｓ１である溶液を収容した容器１０２と
は別に、内部に錠剤、凍結乾燥成分などの第２成分を収容したガラス容器１１０、またはアルミ包装体１１２を用いる場合には、使用の際に、錠剤、凍結乾燥成分などの第２成分Ｓ２を、容器１０２の口部１０４から容器１０２内に移しかえなければならない。
【００１０】
従って、このような移しかえ作業には、容器１０２の口部１０４が小径であるので、熟練を有し、煩雑な操作が必要であり、第２成分Ｓ２がこぼれる場合があり、手指などの周囲を汚染するだけでなく、所定の量の第２成分Ｓ２を第1成分Ｓ１と混合できず、目的と
する濃度に達せず、薬理効果などが期待できないおそれもある。
【００１１】
また、第1成分Ｓ１である溶液と、錠剤、凍結乾燥成分などの第２成分とが、別々の容
器、包装体に収容されているため、携帯に不便であり、どちらかの容器、包装体を紛失してしまい、使用できない場合もある。
【００１２】
さらに、使用方法の誤りによって、第1成分Ｓ１である溶液と、錠剤、凍結乾燥成分な
どの第２成分とが、別々の容器、包装体に収容されているため、第２成分Ｓ２を入れ忘れ、使用してしまい、薬理効果などが期待できないおそれもある。
【００１３】
一方、特許文献２（実開平３−１０５４８３号公報）では、筒体１３０が容器本体１２４の底部近傍まで延設されているので、使用時に容器本体１２４を下向きに傾けた場合に、容器本体１２４内の第1成分Ｓ１と第２成分Ｓ２の混合液の一部が、容器本体１２４の
内周面と筒体１３０の外周面との間の空間１４０に残り、全量を取り出すことができないおそれがある。
【００１４】
また、使用時に底蓋１３４が下方に押圧されて、筒体１３０の下端部から離脱して、容器本体１２４内に落下するので、使用時に容器本体１２４を下向きに傾けた場合に、この底蓋１３４が、筒体１３０の下端部に当接して、筒体１３０からの容器本体１２４内の第1成分Ｓ１と第２成分Ｓ２の混合液の取り出し通路を閉塞して、円滑な混合液の吐出がで
きないおそれがある。
【００１５】
しかも、未使用時には、容器本体１２４内の第1成分Ｓ１である液体中に筒体１３０の
下半分が浸漬しており、この筒体１３０の下半分には、第1成分ｓ１である液体が底蓋１
３４によって、入らないようになっている。従って、この分だけ容器本体１２４の内部空間を広くしなければならず、容器本体１２０が大形化することになる。
【００１６】
本発明は、このような現状に鑑み、使用開始前には、ボトルに収容した第1成分である
溶液と、第２成分とが混合せず、使用開始の際には、簡単かつ確実に第1成分と第２成分
とを混合して使用することができ、容器内の内容物を全量取り出すことができるとともに、使用時にはコンパクトな容器となる２成分混合容器を提供することを目的とする。
【課題を解決するための手段】
【００１７】
本発明は、前述したような従来技術における課題及び目的を達成するために発明されたものであって、本発明の２成分混合容器は、
第１成分である溶液を収容するボトルと、
前記ボトルの口部内部に嵌合係止され、ボトル内に収容された溶液の流通が可能な流通開口部が形成された略筒状のホルダーと、
前記ホルダー内に配置され、第２成分を収容する略筒状の第２成分収容部と、
前記第２成分収容部の上部開口部に装着された上部栓部材と
前記第２成分収容部の下部開口部に装着された下部栓部材と、
前記ボトルの口部に装着され、ボトルの口部に沿って、ボトル方向に移動可能なノズルキャップと、
前記ノズルキャップの内部に、ノズルキャップのノズル開口部に連通するように、ノズルキャップより下方に延設するように設けられた略パイプ状のロッド部材とを備え、
使用に際して、ノズルキャップを、ボトルの口部に沿って、ボトル方向に移動させることによって、
前記ロッド部材が、第２成分収容部の上部開口部に装着された上部栓部材を、下方に押圧して移動させて、
第２成分収容部内に収容された第２成分の圧力によって、第２成分収容部の下部開口部に装着された下部栓部材を第２成分収容部より下方に離脱させ、
これにより、前記第２成分収容部内に収容した第２成分と、ボトル内に収容した第１成分である溶液とを、ホルダーに形成した流通開口部を介して、混合するようにするとともに、
さらにノズルキャップを、ボトルの口部に沿って、ボトル方向に移動させることによって、
前記ロッド部材が、第２成分収容部の上部開口部に装着された上部栓部材を、下方に押圧して移動させて、上部栓部材を第２成分収容部より下方に離脱させ、
これにより、ボトル内で混合された第１成分と第２成分の混合液を、ホルダーに形成した流通開口部、ロッド部材、ノズルキャップのノズル開口部を介して吐出できるように構成したことを特徴とする。
【００１８】
このように構成することによって、使用開始前には、第２成分収容部内に収容した第２成分が、上部栓部材と下部栓部材とで閉栓した状態で、ホルダー内に配置されているので、ボトル内に収容した第１成分である溶液と、隔離した状態となっており混合しないようになっている。
【００１９】
そして、使用に際して、ノズルキャップを、ボトルの口部に沿って、ボトル方向に移動させることによって、ロッド部材が、第２成分収容部の上部開口部に装着された上部栓部材を、下方に押圧して移動させて、第２成分収容部内に収容された第２成分の圧力によって、第２成分収容部の下部開口部に装着された下部栓部材が、第２成分収容部より下方に離脱することになる。
【００２０】
これにより、第２成分収容部内に収容した第２成分と、ボトル内に収容した第１成分である溶液とを、ホルダーに形成した流通開口部を介して、混合することができる。
さらにノズルキャップを、ボトルの口部に沿って、ボトル方向に移動させることによって、ロッド部材が、第２成分収容部の上部開口部に装着された上部栓部材を、下方に押圧して移動させて、上部栓部材が第２成分収容部より下方に離脱することになる。
【００２１】
これにより、ボトル内で混合された第１成分と第２成分の混合液を、ホルダーに形成した流通開口部、ロッド部材、ノズルキャップのノズル開口部を介して、確実に吐出できるようになる。
【００２２】
従って、このような混合操作をしなければ、第１成分と第２成分の混合液を吐出できない構造であるので、誤って第１成分と第２成分の混合液を吐出するおそれがない。
また、このような混合操作をしなければ、第１成分と第２成分の混合液を吐出できない構造であるので、混合操作をしなければ、第１成分のみや第２成分のみを吐出してしまうおそれがない。
【００２３】
また、ノズルキャップを、ボトルの口部に沿って、ボトル方向に移動させるだけで、第１成分と第２成分の混合を行うことができ、操作が容易であり、熟練を要することがなく、誰にでも操作可能である。
【００２４】
しかも、第１成分と第２成分の混合の際に、第１成分と第２成分が外気に触れることがないので、特に、医療分野の点眼液などに用いる場合に、無菌性に優れることになる。
さらに、従来のように、第１成分用の容器と第２成分用の容器に別れていないため、コンパクトであり、しかも、使用時には、ノズルキャップがボトルの口部に嵌った状態になるので、さらにコンパクトであり、例えば、通常の点眼容器とほぼ同じサイズとすることができる。
【００２５】
また、本発明の２成分混合容器は、前記ノズルキャップとボトルの肩部との間のボトル口部の外周に、使用開始前にノズルキャップが、ボトルの口部に沿って、ボトル方向に移動するのを防止するストッパー部材が設けられていることを特徴とする。
【００２６】
このようにストッパー部材を設けることによって、ストッパー部材を解除しない限り、誤ってノズルキャップを、ボトルの口部に沿って、ボトル方向に移動させることができないので、誤って第１成分と第２成分の混合液を吐出するおそれがない。
【００２７】
また、本発明の２成分混合容器は、前記ストッパー部材が、ボトル口部に対して着脱自在に装着されていることを特徴とする。
このように構成することによって、ストッパー部材を、ボトル口部から取り外さない限り、誤ってノズルキャップを、ボトルの口部に沿って、ボトル方向に移動させることができないので、誤って第１成分と第２成分の混合液を吐出するおそれがない。しかも、ストッパー部材を取り外した後には、ストッパー部材がないことを視認できるので、既に第１成分と第２成分の混合が行われ、使用可能状態であることを使用者が認識することができ、使用に際して便利である。
【００２８】
また、本発明の２成分混合容器は、前記ホルダーが、ボトルの口部の外周部を覆う外周折り返し部を備え、
前記外周折り返し部に、ノズルキャップを、ボトルの口部に沿って、ボトル方向に移動させた最終位置において、ノズルキャップがボトルから離反する方向に移動するのを防止する係止部が形成されていることを特徴とする。
【００２９】
このように構成することによって、ホルダーの外周折り返し部に形成した係止部によって、第１成分と第２成分との混合が終了した最終位置にあるノズルキャップがボトルから離反する方向に移動するのを防止することができる。
【００３０】
従って、ノズルキャップが元の位置に復帰して、ノズルキャップのロッド部材が上方に移動してしまい、第２成分収容部から離脱した上部栓部材と下部栓部材が、上方に移動して第２成分収容部を閉塞して、通液が不可能となってしまうのを確実に防止することができる。
【００３１】
また、本発明の２成分混合容器は、前記ホルダーが、有底筒状であって、その下方側部に流通開口部が形成されるとともに、
前記ホルダーの底部に、第２成分収容部から離脱した上部栓部材と下部栓部材が収容されるように構成されていることを特徴とする。
【００３２】
このように構成することによって、第１成分と第２成分との混合の際に、第１成分と第２成分とが、このホルダーの下方側部に形成した流通開口部を介して、確実に混合するこ
とができる。しかも、混合溶液の吐出の際には、ボトル内部からホルダーの下方側部に形成した流通開口部を介して、ロッド部材、ノズルキャップのノズル開口部を介して吐出できる。
【００３３】
さらに、ホルダーの底部に、第２成分収容部から離脱した上部栓部材と下部栓部材が収容された状態であるので、この混合、吐出の際に、上部栓部材と下部栓部材が邪魔にならないようになっている。
【００３４】
また、本発明の２成分混合容器は、前記ノズルキャップを、ボトルの口部に沿って、ボトル方向に移動させた最終位置において、第２成分収容部から離脱され、ホルダーの底部に収容された上部栓部材と下部栓部材とが移動不能となるように、ロッド部材の下端が上部栓部材に当接するように構成されていることを特徴とする。
【００３５】
このように構成することによって、ノズルキャップを、ボトルの口部に沿って、ボトル方向に移動させ、混合が終了した最終位置において、ロッド部材の下端が上部栓部材に当接するので、第２成分収容部から離脱され、ホルダーの底部に収容された上部栓部材と下部栓部材とが移動不能となるので、吐出の際に、上部栓部材と下部栓部材が邪魔にならず、確実に混合溶液を吐出することができる。
【００３６】
また、本発明の２成分混合容器は、前記ロッド部材の側部に開口部が形成されていることを特徴とする。
このように構成することによって、ノズルキャップを、ボトルの口部に沿って、ボトル方向に移動させ、混合が終了した最終位置において、ロッド部材の下端が上部栓部材に当接した状態において、ロッド部材の側部に形成された開口部が通液路を構成して、確実に混合溶液を吐出することができる。
【００３７】
また、本発明の２成分混合容器は、前記ノズルキャップのノズル開口部に着脱自在に装着されたキャップを備えることを特徴とする。
このように構成することによって、ノズルキャップのノズル開口部に着脱自在に装着されたキャップによって、キャップを装着することによって、使用開始前、不使用時にノズルキャップのノズル開口部が汚染するのを防止できるとともに、使用開始後において、不使用時に誤って混合液を吐出するのを防止することができる。
【００３８】
また、本発明の２成分混合容器は、
第１成分である溶液を収容するボトルと、
前記ボトルの口部内部に嵌合係止され、ボトル内に収容された溶液の流通が可能な流通開口部が形成された略筒状のホルダーと、
前記ホルダー内に配置され、第２成分を収容する略筒状の第２成分収容部と、
前記第２成分収容部の上部開口部に装着された破断可能な上部栓部材と
前記第２成分収容部の下部開口部に装着された破断可能な下部栓部材と、
前記ボトルの口部に装着され、ボトルの口部に沿って、ボトル方向に移動可能なノズルキャップと、
前記ノズルキャップの内部に、ノズルキャップのノズル開口部に連通するように、ノズルキャップより下方に延設するように設けられた略パイプ状のロッド部材と、
前記ロッド部材の下端に下方に突設するように形成された破断用ロッド突設部と、
前記ホルダーの下端に、上方側に突設するように形成された破断用ホルダー突設部とを備え、
使用に際して、ノズルキャップを、ボトルの口部に沿って、ボトル方向に移動させることによって、
前記ロッド部材の破断用ロッド突設部が、第２成分収容部の上部開口部に装着された上
部栓部材を、下方に押圧して上部栓部材を破断させ、
さらにノズルキャップを、ボトルの口部に沿って、ボトル方向に移動させることによって、
前記ロッド部材の下端部が、第２成分収容部をホルダー内で下方に移動させて、第２成分収容部の下部開口部に装着された下部栓部材を、ホルダーの破断用ホルダー突設部に当接させて、下部栓部材を破断させ、
これにより、前記第２成分収容部内に収容した第２成分と、ボトル内に収容した第１成分である溶液とを、ホルダーに形成した流通開口部を介して、混合するようにするとともに、
ボトル内で混合された第１成分と第２成分の混合液を、ホルダーに形成した流通開口部、ロッド部材、ノズルキャップのノズル開口部を介して吐出できるように構成したことを特徴とする。
【００３９】
このように構成することによって、使用開始前には、第２成分収容部内に収容した第２成分が、上部栓部材と下部栓部材とで閉栓した状態で、ホルダー内に配置されているので、ボトル内に収容した第１成分である溶液と、隔離した状態となっており混合しないようになっている。
【００４０】
そして、使用に際して、ノズルキャップを、ボトルの口部に沿って、ボトル方向に移動させることによって、ロッド部材の下端の破断用ロッド突設部が、第２成分収容部の上部開口部に装着された上部栓部材を、下方に押圧して上部栓部材を破断させるようになっている。
【００４１】
さらにノズルキャップを、ボトルの口部に沿って、ボトル方向に移動させることによって、ロッド部材の下端部が、第２成分収容部をホルダー内で下方に移動させて、第２成分収容部の下部開口部に装着された下部栓部材を、ホルダーの破断用ホルダー突設部に当接させて、下部栓部材を破断させるようになっている。
【００４２】
これにより、第２成分収容部内に収容した第２成分と、ボトル内に収容した第１成分である溶液とを、ホルダーに形成した流通開口部を介して、混合することができるとともに、ボトル内で混合された第１成分と第２成分の混合液を、ホルダーに形成した流通開口部、ロッド部材、ノズルキャップのノズル開口部を介して、確実に吐出できるようになる。
【００４３】
従って、このように第１成分と第２成分の混合の際に、ノズルキャップを、ボトルの口部に沿って、ボトル方向に移動させることにより、第２成分収容部の上部開口部に装着された、例えば、アルミ箔などの破断可能な上部栓部材と、第２成分収容部の下部開口部に装着された、例えば、アルミ箔などの破断可能な下部栓部材とをそれぞれ、ロッド部材の破断用ロッド突設部と、ホルダーの破断用ホルダー突設部を当接、押圧するだけで、確実にしかも力を要することがなく破断して、混合、吐出を確実に行うことができる。
【００４４】
また、このような混合操作をしなければ、第１成分と第２成分の混合液を吐出できない構造であるので、誤って第１成分と第２成分の混合液を吐出するおそれがない。
さらに、このような混合操作をしなければ、第１成分と第２成分の混合液を吐出できない構造であるので、混合操作をしなければ、第１成分のみや第２成分のみを吐出してしまうおそれがない。
【００４５】
また、ノズルキャップを、ボトルの口部に沿って、ボトル方向に移動させるだけで、第１成分と第２成分の混合を行うことができ、操作が容易であり、熟練を要することがなく、誰にでも操作可能である。
【００４６】
しかも、第１成分と第２成分の混合の際に、第１成分と第２成分が外気に触れることがないので、特に、医療分野の点眼液などに用いる場合に、無菌性に優れることになる。
さらに、従来のように、第１成分用の容器と第２成分用の容器に別れていないため、コンパクトであり、しかも、使用時には、ノズルキャップがボトルの口部に嵌った状態になるので、さらにコンパクトであり、例えば、通常の点眼容器とほぼ同じサイズとすることができる。
【００４７】
また、本発明の２成分混合容器は、前記ノズルキャップとボトルの肩部との間のボトル口部の外周に、使用開始前にノズルキャップが、ボトルの口部に沿って、ボトル方向に移動するのを防止するストッパー部材が設けられていることを特徴とする。
【００４８】
このようにストッパー部材を設けることによって、ストッパー部材を解除しない限り、誤ってノズルキャップを、ボトルの口部に沿って、ボトル方向に移動させることができないので、誤って第１成分と第２成分の混合液を吐出するおそれがない。
【００４９】
また、本発明の２成分混合容器は、前記ストッパー部材が、ボトル口部に対して着脱自在に装着されていることを特徴とする。
このように構成することによって、ストッパー部材を、ボトル口部から取り外さない限り、誤ってノズルキャップを、ボトルの口部に沿って、ボトル方向に移動させることができないので、誤って第１成分と第２成分の混合液を吐出するおそれがない。しかも、ストッパー部材を取り外した後には、ストッパー部材がないことを視認できるので、既に第１成分と第２成分の混合が行われ、使用可能状態であることを使用者が認識することができ、使用に際して便利である。
【００５０】
また、本発明の２成分混合容器は、前記ホルダーが、ボトルの口部の外周部を覆う外周折り返し部を備え、
前記外周折り返し部に、ノズルキャップを、ボトルの口部に沿って、ボトル方向に移動させた最終位置において、ノズルキャップがボトルから離反する方向に移動するのを防止する係止部が形成されていることを特徴とする。
【００５１】
このように構成することによって、ホルダーの外周折り返し部に形成した係止部によって、第１成分と第２成分との混合が終了した最終位置にあるノズルキャップがボトルから離反する方向に移動するのを防止することができる。
【００５２】
従って、ノズルキャップが元の位置に復帰して、ノズルキャップのロッド部材が上方に移動してしまい、第２成分収容部から離脱した上部栓部材と下部栓部材が、上方に移動して第２成分収容部を閉塞して、通液が不可能となってしまうのを確実に防止することができる。
【００５３】
また、本発明の２成分混合容器は、前記ホルダーが、有底筒状であって、その下方側部と底部に流通開口部が形成されるように構成されていることを特徴とする。
このように構成することによって、第１成分と第２成分との混合の際に、第１成分と第２成分とが、このホルダーの下方側部と底部に形成した流通開口部を介して、確実に混合することができる。しかも、混合溶液の吐出の際には、ボトル内部からホルダーの底部に形成した流通開口部を介して、ロッド部材、ノズルキャップのノズル開口部を介して吐出できる。
【００５４】
また、本発明の２成分混合容器は、前記ノズルキャップを、ボトルの口部に沿って、ボトル方向に移動させた最終位置において、第２成分収容部が移動不能となるように、ロッド部材の下端が第２成分収容部に当接するように構成されていることを特徴とする。
【００５５】
このように構成することによって、ノズルキャップを、ボトルの口部に沿って、ボトル方向に移動させ、混合が終了した最終位置において、ロッド部材の下端が第２成分収容部に当接するので、第２成分収容部が移動不能となる。
【００５６】
この結果、ロッド部材の破断用ロッド突設部とホルダーの破断用ホルダー突設部とが、第２成分収容部の上下開口部を開口した状態に、破断した上部栓部材と下部栓部材を維持することになり、吐出の際に、上部栓部材と下部栓部材が邪魔にならず、確実に混合溶液を吐出することができる。
【００５７】
また、本発明の２成分混合容器は、前記ノズルキャップのノズル開口部にフィルター部材が配設されていることを特徴とする。
このように構成することによって、破断した上部栓部材と下部栓部材の破片が、このフィルター部材によって捕捉されることになり、ノズルキャップのノズル開口部を介してこの破片が誤って、混合液とともに吐出されるのを防止することができる。
【００５８】
また、本発明の２成分混合容器は、前記ノズルキャップのノズル開口部に着脱自在に装着されたキャップを備えることを特徴とする。
このように構成することによって、ノズルキャップのノズル開口部に着脱自在に装着されたキャップによって、キャップを装着することによって、使用開始前、不使用時にノズルキャップのノズル開口部が汚染するのを防止できるとともに、使用開始後において、不使用時に誤って混合液を吐出するのを防止することができる。
【発明の効果】
【００５９】
本発明によれば、ノズルキャップを、ボトルの口部に沿って、ボトル方向に移動させる混合操作をしなければ、第１成分と第２成分の混合液を吐出できない構造であるので、誤って第１成分と第２成分の混合液を吐出するおそれがない。
【００６０】
また、ノズルキャップを、ボトルの口部に沿って、ボトル方向に移動させるだけで、第１成分と第２成分の混合を行うことができ、操作が容易であり、熟練を要することがなく、誰にでも操作可能である。
【００６１】
しかも、第１成分と第２成分の混合の際に、第１成分と第２成分が外気に触れることがないので、特に、医療分野の点眼液などに用いる場合に、無菌性に優れることになる。
さらに、従来のように、第１成分用の容器と第２成分用の容器に別れていないため、コンパクトであり、しかも、使用時には、ノズルキャップがボトルの口部に嵌った状態になるので、さらにコンパクトであり、例えば、通常の点眼容器とほぼ同じサイズとすることができる。
【発明を実施するための最良の形態】
【００６２】
以下、本発明の実施の形態（実施例）を図面に基づいてより詳細に説明する。
図１は、本発明の２成分混合容器の第1の実施例の斜視図、図２は、図１の成分混合容
器の分解斜視図、図３は、図１の２成分混合容器の縦断面図、図４は、図３の部分拡大断面図である。
【００６３】
図１〜図４において、１は全体で本発明の２成分混合容器を示している。２成分混合容器１は、ボトル２を備えており、このボトル２は、第１成分である溶液Ｓ１を収容する略有底筒状のボトル本体４と、開口部を有する口部６とから構成されている。
【００６４】
そして、ボトル２の口部６には、略筒状のホルダー８が装着されている。このホルダー
８は、図３および図４に示したように、ボトル２の口部６の内径と略同一の外径を有する有底筒状のホルダー本体１０と、ボトル２の口部６の外周部１２を覆うように、ホルダー本体１０の上部１４から折り返すように延設された外周折り返し部１６を備えている。
【００６５】
また、このホルダー本体１０の底部には、ボトル２のボトル本体４内に位置する栓部材収容部１８が形成されている。この栓部材収容部１８には、図３および図４に示したように、その下方側部に軸方向に延びるスリット形状の流通開口部２１が形成されている。なお、この実施例の場合、流通開口部２１は、栓部材収容部１８の外周の周りに、一定間隔離間して複数個の流通開口部２１が形成されている。
【００６６】
一方、図２〜図４に示したように、ホルダー８の外周折り返し部１６の内壁１６ａの下方には、ホルダー８をボトル２の口部６に装着した際に、ホルダー８がボトル２の口部６から抜け落ちるのを防止するための係止用突設部２２が形成されている。
【００６７】
すなわち、ボトル２の口部６の外周の下端部には、ホルダー８の係止用突設部２２に対応する位置に、ホルダー係止用のアンダーカット形状のホルダー係止用突設部２４が形成されている。
【００６８】
これにより、図４に示したように、ホルダー８をボトル２の口部６に装着する際に、ホルダー８をボトル２の口部６に沿って下方に移動して装着した際に、ホルダー８の係止用突設部２２が、ボトル２の口部６のホルダー係止用突設部２４のテーパ面２４ａに沿って拡径しながら下方に移動して、ホルダー係止用突設部２４の係止用水平面２４ｂの位置で縮径して係止され、抜け落ちが防止されるようになっている。
【００６９】
また、図２〜図４に示したように、ホルダー８のホルダー本体１０の内壁１０ａには、第２成分を収容する略筒状の第２成分収容部２６が、移動不能に嵌合されている。
そして、図３および図４に示したように、第２成分収容部２６には、第２成分収容部２６の上部開口部２８に、第２成分収容部２６の内壁２６ｂに沿って、上下に摺動可能に装着された上部栓部材３０と、第２成分収容部２６の下部開口部３２に、第２成分収容部２６の内壁２６ｂに沿って、上下に摺動可能に装着された下部栓部材３４とを備えている。
【００７０】
この第２成分収容部２６の上部栓部材３０と下部栓部材３４との間に、固体状、粉粒体状、液体状などの第２成分Ｓ２が収容されるようになっている。
この場合、第２成分収容部２６を構成する材料としては、例えば、第２成分Ｓ２を第２成分収容部２６内に充填する充填工程で、第２成分収容部２６内部の充填状況を確認するために、透明性があるのが好ましく、例えば、ＣＯＣ（環状オレフィン共重合体）やＣＯＰ（シクロオレフィン系ポリマー）等の高透明で高防湿な材質が望ましい。
【００７１】
また、特に、例えば、ビタミンＢ２、ビタミンＫなどのビタミンなど、このような合成樹脂では、水蒸気の透過によって、薬効が維持できないものは、水蒸気を遮断する材料、例えば、ガラスや金属などの材質を適宜選択することができる。なお、上記の第２成分収容部２６を構成する材料については、下記の第２の実施例および第３の実施例においても同様である。
【００７２】
この上部栓部材３０は、上部栓部材本体３０ａと、上部栓部材本体３０ａの側周部に突設した上下一対のリップ部３０ｂ、３０ｃと、上部栓部材本体３０ａの中央部から下方に突設する突設部３０ｄとから構成されている。
【００７３】
一方、下部栓部材３４は、上部栓部材３０と略同一の形状を有しており、下部栓部材本体３４ａと、下部栓部材本体３４ａの側周部に突設した上下一対のリップ部３４ｂ、３４
ｃと、下部栓部材本体３４ａの中央部から上方に突設する突設部３４ｄとから構成されている。
【００７４】
そして、これらのリップ部３０ｂ、３０ｃ、３４ｂ、３４ｃと、第２成分収容部２６の内壁２６ｂとの間で、第２成分収容部２６内に収容した第２成分Ｓ２が漏洩しないようにシール部Ａを構成している。
【００７５】
なお、図４に示したように、ホルダー８のホルダー本体１０の内壁１０ａには、その第２成分収容部２６の上部２６ａが位置する箇所に、複数個のシール用突設部１０ｂが形成されており、第２成分収容部２６の上部２６ａの外周壁と、シール用突設部１０ｂによって液止めシール部Ｂを構成している。
【００７６】
さらに、ホルダー８のホルダー本体１０の外壁１０ｃの上端には、シール部１０ｄが僅かに突出するように形成されており、このシール部１０ｄとボトル２の口部６の内壁６ａの上端部６ｂとによって、液止めシール部Ｃを構成している。
【００７７】
また、図３および図４に示したように、ホルダー８の上部には、ノズルキャップ３６が装着されている。
すなわち、図４に示したように、ホルダー８のホルダー８の外周折り返し部１６の外壁１６ｂの上端部には、ノズルキャップ３６を装着係止するためのノズルキャップ係止用溝部３７が形成されており、ノズルキャップ３６のノズルキャップ本体３８の下端３８ａの内壁３８ｂに形成した係止用突設部４１を、ノズルキャップ係止用溝部３７内に嵌合することによって、ホルダー８の上部には、ノズルキャップ３６が装着されている。
【００７８】
さらに、ホルダー８の外周折り返し部１６の外壁１６ｂの下端部には、後述する図９〜図１０に示したように、ノズルキャップ３６を、ボトル２の口部６に沿って、ボトル方向に移動させた最終位置において、ノズルキャップ３６の係止用突設部４１を係止して、ノズルキャップ３６がボトル２から離反する方向に移動するのを防止するアンダーカット形状のノズルキャップ係止部４０が形成されている。
【００７９】
このノズルキャップ３６は、図３に示したように、ノズルキャップ本体３８と、ノズルキャップ本体３８の上壁３８ｃの中央部に上方に突出するように形成されたノズル部４２とを備えている。
【００８０】
また、ノズルキャップ本体３８の上壁３８ｃの内壁側の略中央部には、ノズル部４２のノズル開口部４２ａに連通するように、ノズルキャップ本体３８の上壁３８ｃより下方に延設するように固着された略パイプ状のロッド部材４４を備えている。
【００８１】
このロッド部材４４には、図２に示したように、ロッド部材４４の側部にスリット形状の開口部４４ａが形成されている。
なお、このロッド部材４４の長さは、図３に示した状態（使用開始前の状態）において、ロッド部材４４の下端４４ｂが、第２成分収容部２６の上部栓部材３０の上端部に位置するか、僅かの上方に位置した状態となるように設定されている。
【００８２】
また、図１〜図４に示したように、ノズルキャップ３６のノズルキャップ本体３８の下端３８ａとボトル２の肩部２ａとの間のボトル口部６の外周に、すなわち、ノズルキャップ本体３８の下端３８ａとホルダー８の外周折り返し部１６の下端に形成したフランジ部１６ｃとの間に、使用開始前にノズルキャップ３６が、ボトル２の口部６に沿って、ボトル方向に移動するのを防止するストッパー部材４６が着脱自在に装着されている。
【００８３】
このストッパー部材４６は、半円筒形状のストッパー本体４８と、ストッパー本体４８の両端に外方に突設したテーパ部５０、５０と、ストッパー本体４８の側部の中央部分から外方に突設した摘み部５２とから構成されている。
【００８４】
これにより、ストッパー部材４６を、ノズルキャップ本体３８の下端３８ａとホルダー８の外周折り返し部１６の下端に形成したフランジ部１６ｃとの間に、ボトル口部６の外周に、テーパ部５０、５０の内方テーパ面５０ａ、５０ａを介して、ストッパー本体４８を拡径、縮径することによって着脱自在に装着できるように構成されている。
【００８５】
さらに、ノズルキャップ３６のノズル部４２には、ノズル部４２のノズル開口部４２ａを開閉するためのキャップ５４が着脱自在に装着されている。
すなわち、キャップ５４の内壁には、内螺子部５４ａが形成されているとともに、ノズルキャップ３６のノズル部４２の外周には、このキャップ５４の内螺子部５４ａに螺合する外螺子部４２ｂが形成されており、キャップ５４の内壁の内螺子部５４ａと、ノズル部４２の外周の外螺子部４２ｂとを螺合することによって、ノズルキャップ３６のノズル部４２に、キャップ５４が着脱自在に装着されている。
【００８６】
そして、キャップ５４の内壁の上端には、ノズルキャップ３６のノズル部４２にキャップ５４を装着した状態で、ノズル部４２のノズル開口部４２ａをシールするための、シール部５４ｂが形成されている。
【００８７】
このように構成される本発明の第１の実施例の２成分混合容器１の使用方法について、以下に、図５〜図１０に基づいて説明する。
本発明の第１の実施例の２成分混合容器１は、使用開始前は、図５（Ａ）に示したような状態となっている。
【００８８】
すなわち、図３に示したように、ボトル２のボトル本体４の内部に予め、第１成分である溶液Ｓ１が収容されている。そして、ボトル２の口部６には、ホルダー８が装着されており、このホルダー８のホルダー本体１０の内壁１０ａには、第２成分を収容する略筒状の第２成分収容部２６が、移動不能に嵌合されている。
【００８９】
この第２成分収容部２６の上部栓部材３０と下部栓部材３４との間に、固体状、粉粒体状、液体状などの第２成分Ｓ２が収容されている。
また、図４に示したように、ホルダー８の上部には、ノズルキャップ３６が装着されている。すなわち、ノズルキャップ３６の係止用突設部４１を、ノズルキャップ係止用溝部３７内に嵌合することによって、ホルダー８の上部には、ノズルキャップ３６が装着されている。
【００９０】
そして、この状態では、ノズルキャップ本体３８の上壁３８ｃより下方に延設するように固着されたロッド部材４４の下端４４ｂが、第２成分収容部２６の上部栓部材３０の上端部に位置するか、僅かに上方に位置した状態となるようになっている。
【００９１】
そして、ノズルキャップ３６のノズル部４２には、ノズル部４２のノズル開口部４２ａを開閉するためのキャップ５４が、キャップ５４の内壁の内螺子部５４ａと、ノズル部４２の外周の外螺子部４２ｂとを螺合することによって着脱自在に装着されている。
【００９２】
また、図３に示したように、ノズルキャップ３６のノズルキャップ本体３８の下端３８ａとボトル２の肩部２ａとの間のボトル口部６の外周に、すなわち、ノズルキャップ本体３８の下端３８ａとホルダー８の外周折り返し部１６の下端に形成したフランジ部１６ｃとの間に、使用開始前にノズルキャップ３６が、ボトル２の口部６に沿って、ボトル方向
に移動するのを防止するストッパー部材４６が装着されている。
【００９３】
この状態では、図４に示したように、第２成分収容部２６の上部栓部材３０と下部栓部材３４との間に、固体状、粉粒体状、液体状などの第２成分Ｓ２が収容されており、これらの上部栓部材３０と下部栓部材３４によってシールされた状態となっている。
【００９４】
従って、この状態では、第２成分収容部２６内に収容された第２成分Ｓ２と、ボトル２のボトル本体４に収容した第１成分である溶液Ｓ１とは、混合することがないようになっている。
【００９５】
なお、ボトル２のボトル本体４に収容した第１成分である溶液Ｓ１は、図４に示したように、第２成分収容部２６の上部２６ａの外周壁と、ホルダー本体１０の内壁１０ａに形成したシール用突設部１０ｂによって形成した液止めシール部Ｂと、ホルダー本体１０の外壁１０ｃに形成したシール部１０ｄと、ボトル２の口部６の内壁６ａの上端部６ｂとによって形成した液止めシール部Ｃによって、ボトル２の外部に漏洩しないように構成されている。
【００９６】
そして、この状態から、ストッパー部材４６の摘み部５２を手指などで把持して、図５（Ｂ）の矢印Ｄに示した方向に引っ張ることによって、ノズルキャップ３６のノズルキャップ本体３８の下端３８ａとボトル２の肩部２ａとの間のボトル口部６の外周から、すなわち、ノズルキャップ本体３８の下端３８ａとホルダー８の外周折り返し部１６の下端に形成したフランジ部１６ｃとの間から、ストッパー部材４６を取り外す。
【００９７】
次に、図５（Ｃ）の矢印Ｅに示したように、ノズルキャップ３６を、ボトル２の口部６に沿って、ボトル方向に移動させる。
すなわち、図６および図７に示したように、ノズルキャップ３６を、ボトル２の口部６に沿って、ボトル方向に移動させることによって、ノズルキャップ３６の係止用突設部４１を、ノズルキャップ係止用溝部３７内からの嵌合から離脱させる。
【００９８】
このようにノズルキャップ３６を、ボトル２の口部６に沿って、ボトル方向に移動させることによって、図７の矢印Ｆで示したように、ノズルキャップ本体３８の上壁３８ｃより下方に延設するように固着されたロッド部材４４の下端４４ｂが、第２成分収容部２６の上部開口部２８に装着された上部栓部材３０の上端部に当接して、この上部栓部材３０を、下方に押圧して移動させるようになる。
【００９９】
そして、第２成分収容部２６内に収容された第２成分Ｓ２の圧力によって、第２成分収容部２６の下部開口部３２に装着された下部栓部材３４が、第２成分収容部２６より下方に離脱する。
【０１００】
このように第２成分収容部２６より下方に離脱した下部栓部材３４は、図７および図８に示したように、ホルダー本体１０の底部の栓部材収容部１８に収容されることになる。
これにより、図７の矢印Ｇで示したように、第２成分収容部２６内に収容した第２成分Ｓ２と、ボトル２のボトル本体４内に収容した第１成分である溶液Ｓ１とが、ホルダー本体１０の底部の栓部材収容部１８に形成した流通開口部２１を介して、混合することができるようになる。なお、本明細書で、以下、「混合」とは、溶解、混合状態、コロイド状態など、２成分が混じりあう状態の全てを包含する意味で用いる。
【０１０１】
なお、この混合は、第２成分収容部２６内に収容した第２成分Ｓ２が、自然に第１成分である溶液Ｓ１と溶解などで混合することができるが、混合が不十分である場合には、２成分混合容器１全体を、手で把持して振ることによって、振動させるなどによって攪拌混
合することもできる。
【０１０２】
このように、第２成分収容部２６内に収容した第２成分Ｓ２と、ボトル２のボトル本体４内に収容した第１成分である溶液Ｓ１との混合が行われた後、図９および図１０に示したように、さらにノズルキャップ３６を、ボトル２の口部６に沿って、ボトル方向に移動させる。
【０１０３】
この状態では、図９〜図１０に示したように、ノズルキャップ３６を、ボトル２の口部６に沿って、ボトル方向に移動させた最終位置において、ノズルキャップ３６の係止用突設部４１が、ホルダー８の外周折り返し部１６に形成されたアンダーカット形状のノズルキャップ係止部４０に係止され、ノズルキャップ３６がボトル２から離反する方向に移動するのを防止するようになっている。
【０１０４】
また、このようにノズルキャップ３６を、ボトル２の口部６に沿って、ボトル方向に移動させた最終位置においては、図９および図１０に示したように、ロッド部材４４の下端４４ｂが、上部開口部２８に装着された上部栓部材３０を、下方に押圧してさらに移動させて、上部栓部材３０を第２成分収容部２６より下方に離脱させるようになっている。
【０１０５】
このように第２成分収容部２６より下方に離脱した上部栓部材３０は、図９および図１０に示したように、ホルダー本体１０の底部の栓部材収容部１８に収容されることになる。
【０１０６】
また、この状態では、栓部材収容部１８において、下部栓部材３４の上に上部栓部材３０が、突設部３０ｄと突設部３４ｄを介して当接した状態になるとともに、ホルダー本体１０の底部の栓部材収容部１８に収容された上部栓部材３０と下部栓部材とが移動不能となるように、ロッド部材４４の下端４４ｂが、上部栓部材３０に当接するようになっている。従って、ロッド部材４４の長さは、このような最終位置において、このような状態となるように長さが設定されている。
【０１０７】
このような状態において、図５（Ｄ）の矢印で示したように、キャップ５４を回転させることによって、キャップ５４の内螺子部５４ａと、ノズルキャップ３６のノズル部４２の外螺子部４２ｂとの螺合を解除することによって、図５（Ｅ）のように、キャップ５４をノズルキャップ３６のノズル部４２から取り外して、ノズル部４２のノズル開口部４２ａを開放した使用状態とする。
【０１０８】
そして、この状態では、図１０の矢印Ｈで示したように、ボトル２内で混合された第１成分と第２成分の混合液Ｓ３が、ホルダー本体１０の底部の栓部材収容部１８に形成したスリット形状の流通開口部２１、ロッド部材４４の側部に形成したスリット形状の開口部４４ａ、ロッド部材４４内、ノズルキャップ３６のノズル部４２のノズル開口部４２ａを介して、吐出できるようになっている。
【０１０９】
なお、この状態では、図１０に示したように、ノズルキャップ本体３８の上壁３８ｃのノズル開口部４２ａの周囲に形成した下方フランジ３８ｄと、ホルダー８のホルダー本体１０の内壁１０ａの上端部が当接することによって、液止め部Ｉを構成して、ノズル開口部４２ａ以外の箇所から、ボトル２内で混合された第１成分と第２成分の混合液Ｓ３が外部に漏れでないように構成されている。
【０１１０】
また、前述したように、ノズルキャップ３６を、ボトル２の口部６に沿って、ボトル方向に移動させた最終位置において、ノズルキャップ３６がボトル２から離反する方向に移動するのが防止されるようになっている。
【０１１１】
従って、このような最終位置において、栓部材収容部１８において、下部栓部材３４の上に上部栓部材３０が、突設部３０ｄと突設部３４ｄを介して当接し、しかも、ロッド部材４４の下端４４ｂが、上部栓部材３０に当接して、上部栓部材３０と下部栓部材３４とが移動不能となる。
【０１１２】
これにより、この最終位置において、上部栓部材３０と下部栓部材３４との間に、突設部３０ｄと突設部３４ｄを介して間隙が形成されることになって、ボトル２内から、栓部材収容部１８に形成したスリット形状の流通開口部２１を介して、ロッド部材４４の側部に形成したスリット形状の開口部４４ａへ至る流通路が常に確保されることになり、前述した吐出経路Ｈが確保され、吐出操作が円滑に行われることになる。
【０１１３】
このように構成することによって、本発明の第１の実施例の２成分混合容器１によれば、上記したような混合操作をしなければ、第１成分Ｓ１と第２成分Ｓ２の混合液Ｓ３を吐出できない構造であるので、誤って第１成分Ｓ１と第２成分Ｓ２の混合液Ｓ３を吐出するおそれがない。
【０１１４】
また、ノズルキャップ３６を、ボトル２の口部６に沿って、ボトル方向に移動させるだけで、第１成分Ｓ１と第２成分Ｓ２の混合を行うことができ、操作が容易であり、熟練を要することがなく、誰にでも操作可能である。
【０１１５】
しかも、第１成分Ｓ１と第２成分Ｓ２の混合の際に、第１成分Ｓ１と第２成分Ｓ２が外気に触れることがないので、特に、医療分野の点眼液などに用いる場合に、無菌性に優れることになる。
【０１１６】
さらに、従来のように、第１成分用の容器と第２成分用の容器に別れていないため、コンパクトであり、しかも、使用時には、ノズルキャップ３６がボトル２の口部６に嵌った状態になるので、さらにコンパクトであり、例えば、通常の点眼容器とほぼ同じサイズとすることができる。
【０１１７】
また、本発明の２成分混合容器１では、ストッパー部材４６が設けられているので、ストッパー部材４６を解除し（取り外し）ない限り、誤ってノズルキャップ３６を、ボトル２の口部６に沿って、ボトル方向に移動させることができないので、誤って第１成分Ｓ１と第２成分Ｓ２の混合液Ｓ３を吐出するおそれがない。
しかも、ストッパー部材４６を取り外した後には、ストッパー部材４６がないことを視認できるので、既に第１成分Ｓ１と第２成分Ｓ２の混合が行われ、使用可能状態であることを使用者が認識することができ、使用に際して便利である。
【０１１８】
また、本発明の２成分混合容器１では、ホルダー８の外周折り返し部１６に形成した係止部であるホルダー係止用突設部２４によって、第１成分Ｓ１と第２成分Ｓ２との混合が終了した最終位置にあるノズルキャップ３６が、ボトル２から離反する方向に移動するのを防止することができる。
【０１１９】
従って、ノズルキャップ３６が元の位置に復帰して、ノズルキャップ３６に連結されたロッド部材４４が上方に移動してしまい、第２成分収容部２６から離脱した上部栓部材３０と下部栓部材３４が、上方に移動して第２成分収容部２６を閉塞して、通液が不可能となってしまうのを確実に防止することができる。
【０１２０】
また、本発明の２成分混合容器１では、第１成分Ｓ１と第２成分Ｓ２との混合の際に、第１成分Ｓ１と第２成分Ｓ２とが、このホルダー８の下方側部に形成した流通開口部２１
を介して、確実に混合することができる。しかも、混合溶液Ｓ３の吐出の際には、ボトル２の内部からホルダー８の下方側部に形成した流通開口部２１を介して、ロッド部材４４、ノズルキャップ３６のノズル開口部４２ａを介して吐出できる。
【０１２１】
さらに、ホルダー８の底部に、第２成分収容部２６から離脱した上部栓部材３０と下部栓部材３４が収容された状態であるので、この混合、吐出の際に、上部栓部材３０と下部栓部材３４が邪魔にならないようになっている。
【０１２２】
また、本発明の２成分混合容器１では、ノズルキャップ３６を、ボトル２の口部６に沿って、ボトル方向に移動させ、混合が終了した最終位置において、ロッド部材４４の下端４４ｂが上部栓部材３０に当接するので、第２成分収容部２６から離脱され、ホルダー８の底部に収容された上部栓部材３０と下部栓部材３４とが移動不能となるので、吐出の際に、上部栓部材３０と下部栓部材３４が邪魔にならず、確実に混合溶液Ｓ３を吐出することができる。
【０１２３】
また、本発明の２成分混合容器１では、ノズルキャップ３６を、ボトル２の口部６に沿って、ボトル方向に移動させ、混合が終了した最終位置において、ロッド部材４４の下端４４ｂが上部栓部材３０に当接した状態において、ロッド部材４４の側部に形成された開口部４４ａが通液路を構成して、確実に混合溶液Ｓ３を吐出することができる。
【０１２４】
また、本発明の２成分混合容器１では、ノズルキャップ３６のノズル開口部４２ａに着脱自在に装着されたキャップ５４によって、キャップ５４を装着することによって、使用開始前、不使用時にノズルキャップ３６のノズル開口部４２ａが汚染するのを防止できるとともに、使用開始後において、不使用時に誤って混合液Ｓ３を吐出するのを防止することができる。
【０１２５】
また、上記のような混合操作をしなければ、第１成分Ｓ１と第２成分Ｓ２の混合液Ｓ３を吐出できない構造であるので、混合操作をしなければ、第１成分Ｓ１のみや第２成分Ｓ３のみを吐出してしまうおそれがない。
【０１２６】
図１１は、本発明の２成分混合容器の第２の実施例の図２と同様な分解斜視図、図１２は、図１１の２成分混合容器の図３と同様な縦断面図、図１３は、図１２の図４と同様な部分拡大断面図、図１４は、本発明の２成分混合容器の第２の実施例の図６と同様な使用状態を示す縦断面図、図１５は、図１４の図７と同様な部分拡大断面図、図１６は、本発明の２成分混合容器の第２の実施例の図８と同様な部分切断正面図、図１７は、本発明の２成分混合容器の第２の実施例の図９と同様な使用状態を示す縦断面図、図１８は、図１７の図１０と同様な部分拡大断面図である。
【０１２７】
この第２の実施例の２成分混合容器１は、図１〜１０に示した第１の実施例の２成分混合容器１と基本的には同様な構成であり、同一の構成部材には同一の参照番号を付して、その詳細な説明を省略する。また、この第２の実施例の２成分混合容器１は、使用方法も、図１〜１０に示した第１の実施例の２成分混合容器１と基本的には同様であり、その詳細な説明を省略する。
【０１２８】
この第２の実施例の２成分混合容器１では、図１２および図１３に示したように、第２成分収容部２６の上部栓部材３０と下部栓部材３４とが、略円柱形状であり、例えば、ゴム、可撓性を有する樹脂などの弾性シール部材から構成されている。
【０１２９】
また、上部栓部材３０の下端中央部には、スペーサ収容凹部３０ｅが形成され、下部栓部材３４の上端中央部には、スペーサ収容凹部３４ｅが形成されており、このスペーサ収
容凹部３４ｅ内の略円柱形状のスペーサ部材３１が嵌合されている。
【０１３０】
そして、使用開始前の状態において、このような状態で、第２成分収容部２６の上部栓部材３０と下部栓部材３４との間に、固体状、粉粒体状、液体状などの第２成分Ｓ２が収容されている。
【０１３１】
従って、ノズルキャップ３６を、ボトル２の口部６に沿って、ボトル方向に移動させた最終位置において、図１７および図１８に示したように、栓部材収容部１８において、下部栓部材３４の上に上部栓部材３０が、スペーサ部材３１を介して当接した状態になるとともに、ホルダー本体１０の底部の栓部材収容部１８に収容された上部栓部材３０と下部栓部材とが移動不能となるように、ロッド部材４４の下端４４ｂが、上部栓部材３０に当接するようになっている。
【０１３２】
これにより、この最終位置において、上部栓部材３０と下部栓部材３４との間に、スペーサ部材３１を介して間隙が形成されることになって、ボトル２内から、栓部材収容部１８に形成したスリット形状の流通開口部２１を介して、ロッド部材４４の側部に形成したスリット形状の開口部４４ａへ至る流通路が常に確保されることになり、前述した吐出経路Ｈが確保され、吐出操作が円滑に行われるようになっている。
【０１３３】
従って、本発明の第２の実施例の２成分混合容器１によれば、上記の第１の実施例の２成分混合容器１とほぼ同じ作用効果を奏する。
図１９は、本発明の２成分混合容器の第３の実施例の図２と同様な分解斜視図、図２０は、図１９の２成分混合容器の図３と同様な縦断面図、図２１は、図２０の部分拡大斜視図である。
【０１３４】
この第３の実施例の２成分混合容器１は、図１〜１０に示した第１の実施例の２成分混合容器１と基本的には同様な構成であり、同一の構成部材には同一の参照番号を付して、その詳細な説明を省略する。
【０１３５】
この第３の実施例の２成分混合容器１では、図１９〜図２１に示したように、ノズルキャップ本体３８の上壁３８ｃより下方に延設するように固着された略パイプ状のロッド部材４４には、図１〜１０に示した第１の実施例のように、ロッド部材４４の側部にスリット形状の開口部４４ａが形成されていない。
【０１３６】
また、ロッド部材４４には、図２１に示したように、その下端４４ｂの肩部４４ｃからに下方に突設するように形成された破断用ロッド突設部６０が形成されている。この破断用ロッド突設部６０は、図２０および図２１に示したように、円筒の先端を斜めに切断した形状となっており、複数の破断刃部分６２、６２を備えている。これらの複数の破断刃部分６２、６２が、その間のスリット開口部６４、６４で一定間隔離間して配置されている。
【０１３７】
一方、ホルダー８のホルダー本体１０の底部１１に、上方側に突設するように形成された破断用ホルダー突設部６６が形成されている。この破断用ホルダー突設部６６は、ロッド部材４４の破断用ロッド突設部６０と略相補的な形状を有しており、図２０および図２１に示したように、円筒の先端を斜めに切断した形状となっており、複数の破断刃部分６８、６８を備えている。これらの複数の破断刃部分６８、６８が、その間のスリット開口部７０、７０で一定間隔離間して配置されている。
【０１３８】
また、この第３の実施例の２成分混合容器１では、図１９〜図２５に示したように、ホルダー８のホルダー本体１０の内壁１０ａに、第２成分収容部２６が、上下に移動可能に
嵌合されている。
【０１３９】
しかも、第２成分収容部２６には、図１〜１０に示した第１の実施例のような、第２成分収容部２６内を上下に移動可能な上部栓部材３０と下部栓部材３４とが設けられていない。
【０１４０】
すなわち、第３の実施例の２成分混合容器１では、これらの上部栓部材３０と下部栓部材３４の代わりに、破断可能な材料から構成された上部栓部材７２が、第２成分収容部２６の上部開口部２８に貼着されているとともに、同様な破断可能な材料から構成された下部栓部材７４が、第２成分収容部２６の下部開口部３２に貼着されている。
【０１４１】
なお、これらの上部栓部材７２、下部栓部材７４を構成する破断可能な材料としては、破断可能な材料であれば、特に限定されるものではないが、例えば、アルミ箔などの金属箔、薄い合成樹脂からなる樹脂薄膜などが使用可能であり、これらを、公知の接着方法、例えば、溶着、接着剤、超音波接合などの適宜の接着方法で貼着すればよい。
【０１４２】
さらに、この第３の実施例の２成分混合容器１では、図２１に示したように、ノズルキャップ３６のノズル部４２のノズル開口部４２ａにフィルター部材７６が配設されている。
【０１４３】
このように構成することによって、後述するように、破断した上部栓部材７２と下部栓部材７４の破片が、このフィルター部材７６によって捕捉されることになり、ノズルキャップ３６のノズル開口部４２ａを介してこの破片が誤って、混合液Ｓ３とともに吐出されるのを防止することができるようになっている。
【０１４４】
このようなフィルター部材７６としては、通液可能なものであれば良く、メッシュ状、多孔質膜などその形状、材料も特に限定されるものではない。
このように構成される本発明の第３の実施例の２成分混合容器１の使用方法について、以下に、図１９〜図２５に基づいて説明する。
【０１４５】
本発明の第１の実施例の２成分混合容器１は、使用開始前は、図５（Ａ）に示したような状態となっている。
すなわち、図２０に示したように、ボトル２のボトル本体４の内部に予め、第１成分である溶液Ｓ１が収容されている。そして、ボトル２の口部６には、ホルダー８が装着されており、このホルダー８のホルダー本体１０の内壁１０ａには、第２成分を収容する略筒状の第２成分収容部２６が、上下に移動可能に嵌合されている。
【０１４６】
この第２成分収容部２６の、例えば、アルミ箔などの破断可能な材料から構成された上部栓部材７２と下部栓部材７４との間に、固体状、粉粒体状、液体状などの第２成分Ｓ２が収容されている。
【０１４７】
また、図２１に示したように、ホルダー８の上部には、ノズルキャップ３６が装着されている。すなわち、ノズルキャップ３６の係止用突設部４１を、ノズルキャップ係止用溝部３７内に嵌合することによって、ホルダー８の上部には、ノズルキャップ３６が装着されている。
【０１４８】
そして、この状態では、ロッド部材４４の破断用ホルダー突設部６６の破断刃部分６８の最も下方に位置する下端６８ａが、第２成分収容部２６の上部栓部材３０の上端部に位置するか、僅かに上方に位置した状態となるようになっている。
【０１４９】
そして、ノズルキャップ３６のノズル部４２には、ノズル部４２のノズル開口部４２ａを開閉するためのキャップ５４が、キャップ５４の内壁の内螺子部５４ａと、ノズル部４２の外周の外螺子部４２ｂとを螺合することによって着脱自在に装着されている。
【０１５０】
また、図２０に示したように、ノズルキャップ３６のノズルキャップ本体３８の下端３８ａとボトル２の肩部２ａとの間のボトル口部６の外周に、すなわち、ノズルキャップ本体３８の下端３８ａとホルダー８の外周折り返し部１６の下端に形成したフランジ部１６ｃとの間に、使用開始前にノズルキャップ３６が、ボトル２の口部６に沿って、ボトル方向に移動するのを防止するストッパー部材４６が装着されている。
【０１５１】
この状態では、図２１に示したように、第２成分収容部２６の上部栓部材７２と下部栓部材７４との間に、固体状、粉粒体状、液体状などの第２成分Ｓ２が収容されており、これらの上部栓部材３０と下部栓部材３４によってシールされた状態となっている。
【０１５２】
従って、この状態では、第２成分収容部２６内に収容された第２成分Ｓ２と、ボトル２のボトル本体４に収容した第１成分である溶液Ｓ１とは、混合することがないようになっている。
【０１５３】
そして、この状態から、ストッパー部材４６の摘み部５２を手指などで把持して、図５（Ｂ）の矢印Ｄに示した方向に引っ張ることによって、ノズルキャップ３６のノズルキャップ本体３８の下端３８ａとボトル２の肩部２ａとの間のボトル口部６の外周から、すなわち、ノズルキャップ本体３８の下端３８ａとホルダー８の外周折り返し部１６の下端に形成したフランジ部１６ｃとの間から、ストッパー部材４６を取り外す。
【０１５４】
次に、図５（Ｃ）の矢印Ｅに示したように、ノズルキャップ３６を、ボトル２の口部６に沿って、ボトル方向に移動させる。
すなわち、図２２および図２３に示したように、ノズルキャップ３６を、ボトル２の口部６に沿って、ボトル方向に移動させることによって、ノズルキャップ３６の係止用突設部４１を、ノズルキャップ係止用溝部３７内からの嵌合から離脱させる。
【０１５５】
このようにノズルキャップ３６を、ボトル２の口部６に沿って、ボトル方向に移動させることによって、図２３の矢印Ｆで示したように、ロッド部材４４の破断用ロッド突設部６０の破断刃部分６２、６２が、第２成分収容部２６の上部開口部２８に装着された上部栓部材７２を、下方に押圧することによって、例えば、アルミ箔などの破断可能な材料から構成された上部栓部材７２が破断する。
【０１５６】
さらにノズルキャップ３６を、ボトル２の口部６に沿って、ボトル方向に移動させることによって、図２３に示したように、ロッド部材４４の破断用ロッド突設部６０が、第２成分収容部２６内に進入して、ロッド部材４４の下端４４ｂの肩部４４ｃが、第２成分収容部２６の上端部２８ａに当接した状態になる。
【０１５７】
さらに、図２４および図２５に示したように、この状態から、ノズルキャップ３６を、ボトル２の口部６に沿って、ボトル方向に移動させることによって、ロッド部材４４の下端４４ｂの肩部４４ｃによって下方に押圧されて、第２成分収容部２６がホルダー８のホルダー本体１０内で下方に移動する。
【０１５８】
そして、この第２成分収容部２６の下方の移動に伴って、第２成分収容部２６の下部開口部３２に装着された、例えば、アルミ箔などの破断可能な材料から構成された下部栓部材７４が、ホルダー８のホルダー本体１０の底部１１に上方に突設するように形成された破断用ホルダー突設部６６の破断刃部分６８、６８に当接して、下部栓部材７４が破断し
た状態となる。
【０１５９】
これによって、図２５の矢印Ｈで示したように、第２成分収容部２６内に収容した第２成分Ｓ２と、ボトル２内に収容した第１成分である溶液Ｓ１とが、ホルダー８のホルダー本体１０の底部に形成した流通開口部７８を介して混合し始める。
【０１６０】
なお、この混合の開始の際には（図２５の位置になる直前までは）、第１成分Ｓ１と第２成分Ｓ２との混合の際に、第１成分Ｓ１と第２成分Ｓ２とが、このホルダー８のホルダー本体１０の下方側部に形成した流通開口部２１と底部に形成した流通開口部７８を介して、確実に混合することができる。
【０１６１】
そして、この状態から、ノズルキャップ３６を、ボトル２の口部６に沿って、ボトル方向に移動させることによって、図２５に示したように、ロッド部材４４の下端４４ｂの肩部４４ｃによって下方に押圧されて、第２成分収容部２６がホルダー８のホルダー本体１０内で、第２成分収容部２６の下端部３２ａが、ホルダー本体１０の底部１１に当接した最終位置に位置するようになる。従って、ロッド部材４４の長さは、このような最終位置において、このような状態となるように長さが設定されている。
【０１６２】
このような状態において、図５（Ｄ）の矢印で示したように、キャップ５４を回転させることによって、キャップ５４の内螺子部５４ａと、ノズルキャップ３６のノズル部４２の外螺子部４２ｂとの螺合を解除することによって、図５（Ｅ）のように、キャップ５４をノズルキャップ３６のノズル部４２から取り外して、ノズル部４２のノズル開口部４２ａを開放した使用状態とする。
【０１６３】
そして、この状態では、図２５の矢印Ｈで示したように、ボトル２内で混合された第１成分と第２成分の混合液Ｓ３が、ホルダー８のホルダー本体１０の底部に形成した流通開口部７８、ロッド部材４４内、ノズルキャップ３６のノズル部４２のノズル開口部４２ａを介して、吐出できるようになっている。
【０１６４】
従って、本発明の第３の実施例の２成分混合容器１によれば、上記の第１の実施例および第２の実施例の２成分混合容器１とほぼ同じ作用効果を奏する。
しかも、本発明の第３の実施例の２成分混合容器１によれば、このように第１成分と第２成分の混合の際に、ノズルキャップを、ボトルの口部に沿って、ボトル方向に移動させることにより、第２成分収容部の上部開口部に装着された、例えば、アルミ箔などの破断可能な上部栓部材と、第２成分収容部の下部開口部に装着された、例えば、アルミ箔などの破断可能な下部栓部材とをそれぞれ、ロッド部材の破断用ロッド突設部と、ホルダーの破断用ホルダー突設部を当接、押圧するだけで、確実にしかも力を要することがなく破断して、混合、吐出を確実に行うことができる。
【０１６５】
また、本発明の第３の実施例の２成分混合容器１によれば、ノズルキャップ３６を、ボトル２の口部６に沿って、ボトル方向に移動させ、混合が終了した最終位置において、ロッド部材４４の下端４４ｂが第２成分収容部２６に当接するので、第２成分収容部２６が移動不能となる。
【０１６６】
この結果、ロッド部材４４の破断用ロッド突設部６０とホルダー８の破断用ホルダー突設部６６とが、第２成分収容部２６の上下開口部を開口した状態に、破断した上部栓部材７２と下部栓部材７４を維持することになり、吐出の際に、上部栓部材７２と下部栓部材７４が邪魔にならず、確実に混合溶液を吐出することができる。
【０１６７】
また、本発明の第３の実施例の２成分混合容器１によれば、破断した上部栓部材７２と
下部栓部材７４の破片が、このフィルター部材７６によって捕捉されることになり、ノズルキャップ３６のノズル開口部４２ａを介してこの破片が誤って、混合液Ｓ３とともに吐出されるのを防止することができる。
【０１６８】
以上、本発明の好ましい実施の態様を説明してきたが、本発明はこれに限定されるものではない。
すなわち、上記の第１の実施例および第２の実施例では、栓部材収容部１８の流通開口部２１、ロッド部材４４の側部に形成した開口部４４ａをスリット形状としたが、これに限定されるものではなく、例えば、複数の開口部を形成するようにしてもよい。
【０１６９】
また、上記実施例では、キャップ５４の内螺子部５４ａと、ノズルキャップ３６のノズル部４２の外螺子部４２ｂとの螺合することによって、キャップ５４をノズルキャップ３６のノズル部４２に着脱自在に装着するようにしたが、例えば、いわゆるスナップフィット形式によって着脱自在に構成するようにすることもできる。
【０１７０】
さらに、キャップ５４、ノズルキャップ３６のノズル部４２などは、必須のものではなく、例えば、ノズル部４２を省略して、ピン部材などでノズルキャップ３６に使用時に吐出用開口部を形成するように構成するなど適宜設計変更によリ省略することもできる。
【０１７１】
また、本発明の２成分混合容器は、その適用分野は限定されるものではなく、例えば、点眼容器、点鼻容器などの医療用分野の各種容器、化粧品などの容器、塗料、コーティング剤などの工業用容器などあらゆる２成分を混合して使用する容器に適用可能である。
【０１７２】
さらに、本発明の２成分混合容器は、ボトル２に収容する第１成分Ｓ１と、第２成分収容部２６に収容する第２成分Ｓ２の組み合わせは、上記実施例のように第１成分Ｓ１が液体で、第２成分Ｓ２が錠剤状、粉状、粒状などの固体に限定されるものではなく、例えば、第１成分Ｓ１、第２成分Ｓ２とも液体とするなど、あらゆる組み合わせで適用することができる。
【０１７３】
また、本発明の２成分混合容器は、上記実施例では、第２成分収容部２６に収容する第２成分として、１種類の成分について説明したが、第２成分収容部２６に収容する第２成分として、複数の成分を同時に収容して、本発明の２成分混合容器を多成分の混合容器として使用することも可能であるなど本発明の目的を逸脱しない範囲で種々の変更が可能である。
【図面の簡単な説明】
【０１７４】
【図１】図１は、本発明の２成分混合容器の第1の実施例の斜視図である。
【図２】図２は、図１の成分混合容器の分解斜視図である。
【図３】図３は、図１の２成分混合容器の縦断面図である。
【図４】図４は、図３の部分拡大断面図である。
【図５】図５は、本発明の２成分混合容器の使用状態を説明する斜視図である。
【図６】図６は、本発明の２成分混合容器の第１の実施例の使用状態を示す縦断面図である。
【図７】図７は、図６の部分拡大断面図である。
【図８】図８は、本発明の２成分混合容器の第１の実施例の部分切断正面図である。
【図９】図９は、本発明の２成分混合容器の第１の実施例の使用状態を示す縦断面図である。
【図１０】図１０は、図９の部分拡大断面図である。
【図１１】図１１は、本発明の２成分混合容器の第２の実施例の図２と同様な分解斜視図である。
【図１２】図１２は、図１１の２成分混合容器の図３と同様な縦断面図である。
【図１３】図１３は、図１２の図４と同様な部分拡大断面図である。
【図１４】図１４は、本発明の２成分混合容器の第２の実施例の図６と同様な使用状態を示す縦断面図である。
【図１５】図１５は、図１５は、図１４の図７と同様な部分拡大断面図である。
【図１６】図１６は、図１６は、本発明の２成分混合容器の第２の実施例の図８と同様な部分切断正面図である。
【図１７】図１７は、本発明の２成分混合容器の第２の実施例の図９と同様な使用状態を示す縦断面図である。
【図１８】図１８は、図１７の図１０と同様な部分拡大断面図である。
【図１９】図１９は、本発明の２成分混合容器の第３の実施例の図２と同様な分解斜視図である。
【図２０】図２０は、図１９の２成分混合容器の図３と同様な縦断面図である。
【図２１】図２１は、図２０の部分拡大斜視図である。
【図２２】図２２は、本発明の２成分混合容器の第３の実施例の使用状態を説明する縦断面である。
【図２３】図２３は、図２２の部分拡大斜視図である。
【図２４】図２４は、本発明の２成分混合容器の第３の実施例の使用状態を説明する縦断面である。
【図２５】図２５は、図２４の部分拡大斜視図である。
【図２６】図２６は、従来の点眼容器の斜視図である。
【図２７】図２７は、従来の点眼容器の使用状態を説明する斜視図である。
【図２８】図２８は、従来の点眼容器の使用状態を説明する斜視図である。
【図２９】図２９は、従来の２成分混合容器の使用状態を説明する縦断面図である。
【符号の説明】
【０１７５】
１     成分混合容器
２     ボトル
２ａ   肩部
４     ボトル本体
６     ボトル口部
６ａ   内壁
６ｂ   上端部
８     ホルダー
１０   ホルダー本体
１０ａ 内壁
１０ｂ シール用突設部
１０ｃ 外壁
１０ｄ シール部
１１   底部
１２   外周部
１４   上部
１６   外周折り返し部
１６ａ 内壁
１６ｂ 外壁
１６ｃ フランジ部
１８   栓部材収容部
２０   容器本体
２１   流通開口部
２２   係止用突設部
２４   ホルダー係止用突設部
２４ａ テーパ面
２４ｂ 係止用水平面
２６   第２成分収容部
２６ａ 上部
２６ｂ 内壁
２８   上部開口部
２８ａ 上端部
３０   上部栓部材
３０ａ 上部栓部材本体
３０ｂ、３０ｃ       リップ部
３０ｄ 突設部
３０ｅ スペーサ収容凹部
３１   スペーサ部材
３２   下部開口部
３２ａ 下端部
３４   下部栓部材
３４ａ 下部栓部材本体
３４ｂ、３４ｃ       リップ部
３４ｄ 突設部
３４ｅ スペーサ収容凹部
３６   ノズルキャップ
３７   ノズルキャップ係止用溝部
３８   ノズルキャップ本体
３８ａ 下端
３８ｂ 内壁
３８ｃ 上壁
３８ｄ 下方フランジ
４０   ノズルキャップ係止部
４１   係止用突設部
４２   ノズル部
４２ａ ノズル開口部
４２ｂ 外螺子部
４４   ロッド部材
４４ａ 開口部
４４ｂ 下端
４４ｃ 肩部
４６   ストッパー部材
４８   ストッパー本体
５０   テーパ-部
５０ａ 内方テーパ面
５２   摘み部
５４   キャップ
５４ａ 内螺子部
５４ｂ シール部
６０   破断用ロッド突設部
６２   破断刃部分
６４   スリット開口部
６６   破断用ホルダー突設部
６８   破断刃部分
６８ａ 下端
７０   スリット開口部
７２   上部栓部材
７４   下部栓部材
７６   フィルター部材
７８   流通開口部
１０２ 容器
１０４ 口部
１０６ ノズルヘッド
１０８ キャップ
１１０ ガラス容器
１１２ アルミ包装体
１１４ 蓋
１１６ ノッチ
１２０ 口部
１２２ ねじ部
１２４ 容器本体
１２６ ねじ部
１２８ キャップ
１３０ 筒体
１３２ 固形状他物体
１３４ 底蓋
１３６ ストッパー
１３８ 押棒
１４０ 空間
Ａ     シール部
Ｂ     シール部
Ｃ     シール部
Ｓ１   溶液
Ｓ２   第２成分
Ｓ３   混合液
【図１】
2006213332.tif 000003
【図２】
2006213332.tif 000004
【図３】
2006213332.tif 000005
【図４】
2006213332.tif 000006
【図５】
2006213332.tif 000007
【図６】
2006213332.tif 000008
【図７】
2006213332.tif 000009
【図８】
2006213332.tif 000010
【図９】
2006213332.tif 000011
【図１０】
2006213332.tif 000012
【図１１】
2006213332.tif 000013
【図１２】
2006213332.tif 000014
【図１３】
2006213332.tif 000015
【図１４】
2006213332.tif 000016
【図１５】
2006213332.tif 000017
【図１６】
2006213332.tif 000018
【図１７】
2006213332.tif 000019
【図１８】
2006213332.tif 000020
【図１９】
2006213332.tif 000021
【図２０】
2006213332.tif 000022
【図２１】
2006213332.tif 000023
【図２２】
2006213332.tif 000024
【図２３】
2006213332.tif 000025
【図２４】
2006213332.tif 000026
【図２５】
2006213332.tif 000027
【図２６】
2006213332.tif 000028
【図２７】
2006213332.tif 000029
【図２８】
2006213332.tif 000030
【図２９】
2006213332.tif 000031